(57)【要約】【課題】  著作物、あるいは機密性のある文書や画像の読取データの処理に対する制限をオペレータの判断に拠らず行えるようにする。【解決手段】  画像が記録された記録媒体（１３１０）上に微小な無線タグ（１３０１〜１３０９）を貼り付け、リーダライタ装置１３００を走査して読み取った当該無線タグに記録されている所定の情報に基づいて、前記画像を光学的に読み取った画像データにおける転送処理又は印刷処理に対して制限もしくは許可を行うようにする。【選択図】        図１３
2005094689.tif 000002
【特許請求の範囲】
【請求項１】
記録媒体上に光学的に記録された所定の画像に対応して、前記記録媒体上に微小な無線タグが貼り付けられた無線タグシステムにおいて、
前記無線タグには所定のコードが記録されており、
前記コードは、前記画像を光学的に読み取った画像データにおける転送処理又は印刷処理に対して制限もしくは許可を指示するものであることを特徴とする無線タグシステム。
【発明の詳細な説明】
【技術分野】
【０００１】
本発明は、紙等の記録媒体に微小な無線タグを貼り付けた無線タグシステムに関する。
【背景技術】
【０００２】
著作物、あるいは機密性のある文書や画像を電気的に読み取る場合において、その読取データにおける転送処理又は印刷処理に対する制限に関しては、オペレータの判断によって逐一行っていた。
【発明の開示】
【発明が解決しようとする課題】
【０００３】
しかしながら、従来においては、この転送処理又は印刷処理に対する制限をかけている文書や画像の読取データに対する管理がオペレータの判断に委ねられていたため、完全な文書管理を実現することが困難であるという問題があった。
【０００４】
本発明は上述の問題点に鑑みてなされたもので、著作物、あるいは機密性のある文書や画像の読取データの処理に対する制限をオペレータの判断に拠らず行えるようにして、完全な文書管理を実現することを目的とする。
【課題を解決するための手段】
【０００５】
本発明の無線タグシステムは、記録媒体上に光学的に記録された所定の画像に対応して、前記記録媒体上に微小な無線タグが貼り付けられた無線タグシステムにおいて、前記無線タグには所定のコードが記録されており、前記コードは、前記画像を光学的に読み取った画像データにおける転送処理又は印刷処理に対して制限もしくは許可を指示するものである。
【発明の効果】
【０００６】
本発明によれば、画像が印刷された記録媒体に無線タグを貼り付け、当該無線タグに書き込むデータをコントロールして、当該画像に対するコピー又は読み取りの許可あるいは禁止を設定することにより、著作物、あるいは機密性のある文書や画像の読取データの処理に対する制限をオペレータの判断に拠らず行うことができ、完全な文書管理を実現することが可能になる。
【発明を実施するための最良の形態】
【０００７】
次に、添付図面を参照しながら本発明に係わる無線タグシステムの諸実施形態について説明する。
【０００８】
（第１の実施形態）
図１は、本発明の実施形態における無線タグシステムの概観図である。
１０２は、ネットワーク１０１に接続されたサーバであり、１０３ａ及び１０３ｂは、クライアントである。また、クライアントは、不図示であるがこれらの他にもネットワーク１０１に多数接続されている。以下、クライアントを代表して１０３と表記する。更に、ネットワーク１０１には、ＭＦＰ（Multi Function peripheral：マルチファンクション周辺機器）１０４ａ，１０４ｂ，１０４ｃ，１０４ｄが接続されている。ここで、ＭＦＰ（１０４ａ，１０４ｂ，１０４ｃ，１０４ｄ）は、フルカラーでスキャン、プリントなどを行うことが可能なカラー４ドラムＭＦＰである。また、１０５は、ネットワークに接続された１ドラムカラーレーザビームプリンタ（ＬＢＰ）である。
【０００９】
また、不図示であるがネットワーク１０１上にはＭＦＰをはじめ、スキャナ、プリンタあるいはＦＡＸなどのその他の機器も接続されている。ここで、クライアント１０３上では、いわゆるＤＴＰ（Desk Top Publishing：デスクトップパブリッシング）を実行するアプリケーションソフトウェアを動作させ、各種文書／図形が作成／編集される。クライアント１０３は、作成された文書／図形をＰＤＬ（Page Description Language：ページ記述言語）に変換し、ネットワーク１０１を介してＭＦＰ１０４、ＬＢＰ１０５に送信してプリントアウトに供する。
【００１０】
ＭＦＰ１０４及びＬＢＰ１０５は、サーバ１０２，クライアント１０３とネットワーク１０１を介して情報交換できる通信手段をそれぞれ有しており、ＭＦＰ１０４、ＬＢＰ１０５の情報や状態をサーバ１０２，クライアント１０３側に逐次知らせる仕組みとなっている。更に、サーバ１０２，クライアント１０３は、その情報を受けて動作するユーティリティソフトウェアを持っており、ＭＦＰ１０４、ＬＢＰ１０５を管理する。
【００１１】
次に、図２を用いてＭＦＰ（複合機）１０４の構成について説明する。
ＭＦＰ１０４は、画像読み取りを行うスキャナ部２０１と、その画像データに対して画像処理を行うＩＰ部２０２と、ファクシミリなどに代表される電話回線を利用した画像の送受信を行うＦＡＸ部２０３と、ネットワークを利用して画像データや装置情報をやり取りするＮＩＣ（Network Interface Card）部２０４と、クライアント１０３から送られてきたページ記述言語（ＰＤＬ）を画像信号に展開するＰＤＬ部２０５とを有する。そして、ＭＦＰ１０４の使い方に応じてコア部２０６で画像信号を一時保存したり、経路を決定したりする。
【００１２】
また、コア部２０６から出力された画像データは、ＰＭＷ部２０７を介して画像形成を行うプリンタ部２０８に送られる。ここで、プリンタ部２０８でプリントアウトされたシートは、フィニッシャ部２０９へ送り込まれ、シートの仕分け処理やシートの仕上げ処理が行われる。また、ディスプレイ部２１０は、画像をプリントアウトせずに画像の内容を確認したり、プリントアウトする前に画像の様子を確認（プレビュー）したりするために用いられる。
【００１３】
次に、図３を用いてスキャナ部２０１の構成を説明する。
原稿台ガラス３０１上に載置された原稿３０２は、照明ランプ３０３により照射され、その反射光はミラー３０４，３０５，３０６を経て、レンズ３０７によりＣＣＤ３０８上に結像される。ミラー３０４及び照明ランプ３０３を含む第１ミラーユニット３１０は速度ｖで移動し、ミラー３０５，３０６を含む第２ミラーユニット３１１は速度１／２ｖで移動して、原稿３０２の全面を走査する。また、第１ミラーユニット３１０及び第２ミラーユニット３１１は、モータ３０９により駆動される。
【００１４】
次に、図４を用いてＩＰ部（画像処理部）２０２の構成について説明する。
まず、入力された光学的信号は、ＣＣＤセンサ３０８により電気信号に変換される。このＣＣＤセンサ３０８はＲＧＢ３ラインのカラーセンサであり、ＲＧＢの各色信号毎にＡ／Ｄ変換部４０１により、８ビットのデジタル画像信号Ｒ０，Ｇ０，Ｂ０に変換される。その後、シェーディング部４０２により、色毎に基準白色板の読み取り信号を用いたシェーディング補正が施される。更に、ＣＣＤセンサ３０８の各色ラインセンサは、相互に所定の距離を隔てて配置されているためラインディレイ調整回路（ライン補間部）４０３において、副走査方向の空間的ずれが補正される。
【００１５】
続いて、入力マスキング部４０４は、ＣＣＤセンサ３０８のＲＧＢフィルタの分光特性で決まる読取色空間をＮＴＳＣの標準色空間に変換する部分であり、ＣＣＤセンサ３０８の感度特性／照明ランプのスペクトル特性等の諸特性を考慮した装置固有の定数を用いた３×３のマトリックス演算を行い、入力されたＲ０，Ｇ０，Ｂ０信号を標準的なＲＧＢ信号に変換する。
【００１６】
続いて、輝度／濃度変換部（ＬＯＧ変換部）４０５は、ルックアップテーブル（ＬＵＴ）ＲＡＭにより構成され、ＲＧＢの輝度信号がＣ１，Ｍ１，Ｙ１の濃度信号になるように変換される。また、出力マスキング（ＵＣＲ回路）部４０６は、Ｃ１，Ｍ１，Ｙ１信号を画像形成装置のトナー色であるＣＭＹＫ信号に補正して出力する。
【００１７】
続いて、ガンマ補正部４０７は、トナーの色味諸特性を考慮したルックアップテーブル（ＬＵＴ）ＲＡＭを使って画像出力のためのＣＭＹＫデータに変換し、さらに、空間フィルタ４０８において、エッジ強調又はスムージングが施された後、画像信号はコア部２０６へと送られる。
【００１８】
続いて、図５を用いてＮＩＣ部２０４及びＰＤＬ部２０５の構成について説明する。
まず、ＮＩＣ部２０４は、ネットワーク１０１に対してインターフェイス機能を有するものであり、例えば１０Ｂａｓａ−Ｔ／１００Ｂａｓａ−ＴＸなどのイーサネット（Ｒ）（Ethernet(R)）ケーブルなどを利用して外部からの情報を入手したり、外部へ情報を流したりする役割を果たす。
【００１９】
外部より情報を入手する場合は、まず、トランス部６０１で電圧変換され、ＬＡＮコントローラ部６０２に送られる。ＬＡＮコントローラ部６０２は、その内部に第１バッファメモリ（不図示）を持っており、その情報が必要な情報か否かを判断した上で第２バッファメモリ（不図示）に送った後、ＰＤＬ部２０５に信号を流す。一方、外部に情報を提供する場合には、ＰＤＬ部２０５より送られてきたデータは、ＬＡＮコントローラ部６０２で必要な情報を付加して、トランス部６０１を経由してネットワーク１０１に接続される。
【００２０】
続いて、ＰＤＬ部２０５の構成について説明する。
クライアント１０３上で動作するアプリケーションソフトウェアによって作成された画像データは、文書、図形、写真等から構成されており、それぞれは文字コード、図形コード及びラスタ画像データなどによる画像記述の要素の組み合わせから成っている。これが、いわゆるＰＤＬ（Page Description language：ページ記述言語）であり、Adobe社のPostScript（登録商標）言語に代表されるものである。
【００２１】
ＰＤＬ部２０５では、上記ＰＤＬデータからラスタ画像データへの変換処理を行う。まずＮＩＣ部２０４から送られてきたＰＤＬデータは、ＣＰＵ部６０３を経由して一度ハードディスク（ＨＤＤ）のような大容量メモリ６０４に格納され、ここで各ジョブ毎に管理、保存される。続いて、必要に応じて、ＣＰＵ部６０３は、ＲＩＰ（Raster Image Processing）と呼ばれるラスタ化画像処理を行って、ＰＤＬデータをラスタイメージに展開する。展開されたラスタイメージデータは、ＣＭＹＫの色成分毎にＤＲＡＭなどの高速アクセス可能なメモリ６０５にジョブ毎にページ単位で格納され、プリンタ部２０８の状況に合わせて、再びＣＰＵ部６０３を介して、コア部２０６へ送られる。また、リーダ部で読み取られ、ＣＭＹＫデータに変換された画像信号をプリンタ部２０８にすぐに送信することができない場合、メモリ６０４に一旦記憶されるようにコア部２０６で制御される。
【００２２】
続いて、図６を用いてコア部２０６の構成について説明する。
コア部２０６のバスセレクタ部７０１は、ＭＦＰ１０４，１０５の利用における、いわば交通整理の役割を担っている。すなわち、複写機能、ネットワークスキャン、ネットワークプリンタ、ファクシミリ送信／受信、あるいはディスプレイ表示などＭＦＰ１０４，１０５における各種機能に応じてバスの切り替えを行うところである。
【００２３】
以下に、各機能を実行するためのバスセレクタ部７０１におけるバスの切り替えパターンを示す。
・複写機能：スキャナ２０１→コア２０６→プリンタ２０８
・ネットワークスキャン：スキャナ２０１→コア２０６→ＮＩＣ部２０４
・ネットワークプリンタ：ＮＩＣ部２０４→コア２０６→プリンタ２０８
・ファクシミリ送信機能：スキャナ２０１→コア２０６→ＦＡＸ部２０３
・ファクシミリ受信機能：ＦＡＸ部２０３→コア２０６→プリンタ２０８
・ディスプレイ表示機能：スキャナ２０１又はＦＡＸ部２０３又はＮＩＣ部２０
４→コア２０６→ディスプレイ２１０
【００２４】
続いて、バスセレクタ部７０１から出力された画像データは、圧縮部７０２、ハードディスク（ＨＤＤ）などの大容量メモリからなるメモリ部７０３及び伸張部７０４を介してプリンタ部２０８（ＰＷＭ部２０７）又はディスプレイ部２１０へ送られる。ここで、圧縮部７０２で用いられる圧縮方式は、ＪＰＥＧ、ＪＢＩＧ、ＺＩＰなどの一般的なものを用いればよい。圧縮された画像データは、ジョブ毎に管理され、ファイル名、作成者、作成日時、ファイルサイズなどの付加データと一緒に格納される。
【００２５】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができないようにするたの機能である。記憶されているジョブのプリントアウトの指示が行われた場合には、パスワードによる認証を行った後にメモリ部７０３より呼び出し、画像伸張を行ってラスタイメージに戻してプリンタ部２０７に送ることもできる。
【００２６】
次に、図７を用いてＰＷＭ部２０７について説明をする。
コア部２０６から出力されたイエロー（Ｙ）、マゼンダ（Ｍ）、シアン（Ｃ）、ブラック（Ｋ）の４色に色分解された多値画像データは、それぞれのＰＷＭ部２０７を通ってそれぞれ画像形成される。８０１は三角波発生部であり、８０２は入力されるデジタル画像信号をアナログ信号に変換するＤ／Ａコンバータ（Ｄ／Ａ変換部）である。三角波発生部８０１からの信号（図７（２）のａ）及びＤ／Ａコンバータ８０２からの信号（図７（２）のｂ）は、コンパレータ８０３で大小比較されて、図７（２）のｃのような信号となってレーザ駆動部８０４に送られ、ＣＭＹＫのそれぞれがＣＭＹＫのそれぞれのレーザ発振器８０５でレーザビームに変換される。そして、ポリゴンスキャナ９１３により、それぞれのレーザビームを走査して、それぞれの感光ドラム９１７，９２１，９２５，９２９に照射される。
【００２７】
図８は、４ドラムタイプカラープリンタ装置の概略図である。
ポリゴンミラー９１３は、４つの半導体レーザ発振器８０５より発光された４本のレーザ光を受ける。その内の１本はミラー９１４，９１５，９１６を経て感光ドラム９１７を走査し、次の１本はミラー９１８，９１９，９２０を経て感光ドラム９２１を走査し、次の１本はミラー９２２，９２３，９２４を経て感光ドラム９２５を走査し、次の１本はミラー９２６，９２７，９２８を経て感光ドラム９２９を走査する。
【００２８】
また、現像器９３０は、イエロー（Ｙ）のトナーを供給し、レーザ光に従い、感光ドラム９１７上にイエローのトナー像を形成する。現像器９３１は、マゼンタ（Ｍ）のトナーを供給し、レーザ光に従い、感光ドラム９２１上にマゼンタのトナー像を形成する。現像器９３２は、シアン（Ｃ）のトナーを供給し、レーザ光に従い、感光ドラム９２５上にシアンのトナー像を形成する。現像器９３３は、ブラック（Ｋ）のトナーを供給し、レーザ光に従い、感光ドラム９２９上にブラックのトナー像を形成する。以上４色（Ｙ，Ｍ，Ｃ，Ｋ）のトナー像がシートに転写され、フルカラーの出力画像を得ることができる。
【００２９】
シートカセット９３４，９３５及び手差しトレイ９３６のいずれかにより供給されたシートは、レジストローラ９３７を経て、転写ベルト９３８上に吸着され、搬送される。給紙のタイミングと同期がとられて、予め感光ドラム９１７，９２１，９２５，９２９には各色のトナーが現像されており、シートの搬送とともに、トナーがシートに転写される。各色のトナーが転写されたシートは、分離され、搬送ベルト９３９により搬送され、定着器９４０によって、トナーがシートに定着される。
【００３０】
定着器９４０を抜けたシートは、フラッパ９５０によりいったん下方向へ導かれてシートの後端がフラッパ９５０を抜けた後、スイッチバックさせて排出する。これによりフェイスダウン状態で排出され、先頭頁から順にプリントしたときに正しい順となる。なお、４つの感光ドラム９１７，９２１，９２５，９２９は、距離ｄをおいて等間隔に配置されており、搬送ベルト９３９により、シートは一定速度ｖで搬送されており、このタイミング同期がなされて、４つの半導体レーザ８０５は駆動される。
【００３１】
次に、図１０を用いてディスプレイ部２１０の構成について説明する。
コア部２０６より出力された画像信号は、ＣＭＹＫデータであるため、逆ＬＯＧ変換部１００１でＲＧＢデータに変換する必要がある。続いて、出力されるＣＲＴなどのディスプレイ装置１００４における色の特性に合わせるために、ガンマ変換部１００２でルックアップテーブルを使用して出力変換を行う。変換された画像データは、一度メモリ部１００３に格納されて、ＣＲＴなどのディスプレイ装置１００４によって表示させる。
【００３２】
ここで、ディスプレイ部２１０を使用するのは、出力画像を予め確認するプレビュー機能や出力する画像が意図したものと間違いないか検証するプルーフ機能、あるいは、プリントの必要がないかを確認するな場合にプリントシートの無駄を省くためである。
【００３３】
次に、図１１を用いてフィニッシャ部２０９の構成について説明する。
プリンタ部２０８の定着部９４０（又は９７９）を出たシートは、フィニッシャ部２０９に入る。フィニッシャ部２０９には、サンプルトレイ１１０１とスタックトレイ１１０２があり、ジョブの種類や排出されるシートの枚数に応じて切り替えて排出される。
【００３４】
ソート方式には２通りあり、複数のビンを有して各ビンに振り分けるビンソート方式と、後述の電子ソート機能とビン（または、トレイ）を奥／手前方向にシフトしてジョブ毎に出力シートを振り分けるシフトソート方式とがある。電子ソート機能は、コレートと呼ばれ、前述のコア部で説明した大容量メモリを持っていればこのバッファメモリを利用して、バッファリングしたページ順と排出順を変更する、いわゆるコレート機能を用いることで電子ソーティングの機能もサポートできる。また、グループ機能は、ソーティングがジョブ毎に振り分けるのに対し、ページ毎に仕分けする機能である。
【００３５】
更に、スタックトレイ１１０２に排出する場合には、シートが排出される前のシートをジョブ毎に蓄えておき、排出する直前にステープラ１１０５にてバインドすることも可能である。この他、上記２つのトレイに至るまでに、紙をＺ字状に折るためのＺ折り器１１０４、ファイル用の２つの（または３つ）の穴開けを行うパンチャ１１０６があり、ジョブの種類に応じてそれぞれの処理を行う。
【００３６】
更に、サドルステッチャ１１０７は、シートの中央部分を２ヶ所バインドした後に、シートの中央部分をローラにかませることによりシートを半折にし、週刊誌やパンフレットのようなブックレットを作成する処理を行う。サドルステッチャ１１０７で作成されたシートは、ブックレットトレイ１１０８に排出される。その他、図には記載されていないが、製本のためのグルー（糊付け）によるバインドや、あるいはバインド後にバインド側と反対側の端面を揃えるためのカッティングなどを加えることも可能である。
【００３７】
また、インサータ１１０３は、プリンタを通さずにトレイ１１１０にセットされたシートをトレイ１１０１，１１０２，１１０８のいずれかに送るためのものである。これによって、フィニッシャ部２０９に送り込まれるシートとシートとの間に、インサータ１１０３にセットされたシートをインサート（中差し）することができる。インサータ１１０３のトレイ１１１０には、ユーザによりフェイスアップの状態でセットされるものとし、ピックアップローラ１１１１により最上部のシートから順に給送する。従って、インサータ１１０３からのシートをそのままトレイ１１０１、１１０２へ排出することにより、フェイスダウン状態で排出される。また、サドルステッチャ１１０７へ送るときには、一度パンチャ１１０６側へ送り込んだ後スイッチバックさせて送り込むことにより、フェースの向きを合わせる。
【００３８】
次に、サーバ１０２、クライアント１０３上にて動作するユーユーティリティソフトウェアについて説明する。
ＭＦＰ１０４、ＬＢＰ１０５内のネットワークインターフェース部分（ＮＩＰ部２０４＋ＰＤＬ部２０５）には、ＭＩＢ（Management Information Base）と呼ばれる標準化されたデータベースが構築されており、ＳＮＭＰ（Simple Network Management Protocol）というネットワーク管理プロトコルを介してネットワーク上のコンピュータと通信し、ＭＦＰ１０４、ＬＢＰ１０５をはじめとして、ネットワーク上につながれたスキャナ、プリンタあるいは、ＦＡＸなどの管理が可能になっている。
【００３９】
一方、サーバ１０２、クライアント１０３上では、ユーティリティと呼ばれるソフトウェアプログラムが動作しており、ネットワークを介して上記ＳＮＭＰの利用によりＭＩＢを使って必要な情報交換が可能となる。例えば、ＭＦＰ１０４、ＬＢＰ１０５の装備情報としてフィニッシャ部２０９が接続されているか否かを探知したり、ステータス情報をして現在プリントが出きるか否かを探知したり、あるいはＭＦＰ１０４、ＬＢＰ１０５の名前や設置場所などを記入したり、また変更したり、確認したりといった具合に、ＭＩＢを使うことにより、ユーザはネットワークに接続されたＭＦＰ１０４、ＬＢＰ１０５の情報をサーバ１０２、クライアント１０３上で確認することができる。また、これらの情報は、サーバ１０２とクライアント１０３を区別してリードライトに制限を持たせることも可能である。
【００４０】
従って、この機能を使うことにより、ＭＦＰ１０４、ＬＢＰ１０５の装備情報、装置の状態、ネットワークの設定、ジョブの経緯、使用状況の管理、制御などあらゆる情報をユーザはコンピュータ１０３、１０２の前で入手することが可能となる。
【００４１】
次に、図１２を用いてＬＢＰ１０５の構成について説明する。
ＬＢＰ１０５は、ネットワークを利用して画像データや装置情報をやり取りするＮＩＣ（Network Interface Card：ネットワークインターフェイスカード）部２０４、クライアント１０３から送られてきたページ記述言語（ＰＤＬ）を画像信号に展開するＰＤＬ部２０５とを有する。また、ＮＩＣ部、ＰＤＬ部、ＰＷＭ部の構成はＭＦＰ１０４と同様である。
【００４２】
図１２は、１ドラムタイプカラープリンタ部の概要図である。
９１３は、ポリゴンミラーであり、半導体レーザ８０５より発光された１本のレーザ光を受け、ミラー９１４を経て感光ドラム９１７を走査して、感光体上に潜像を形成する。感光体上の潜像は反時計回りに回転しながら、色現像器９６１や黒現像器９６０に到達する。色現像器９６１や黒現像器９６０の各現像器は、感光体上に潜像として帯電された電荷に応じてトナーをのせる（現像させる）働きをする。画像が白黒の時は、黒現像器９６０のみが使用され、カラーの時は、色現像器９６１と黒現像器９６０の両方の現像器が使用される。感光体９１７に生成された画像は、時計回りに回転している中間転写体９６２に転写される。この中間転写体は、白黒の場合は１回転、カラーの場合は４回転して画像生成を中間転写体上に完了する。
【００４３】
色現像器９６１は、回転することにより、イエロー現像器９６１ｙ、マゼンタ現像器９６１ｍ、シアン現像器９６１ｃのいずれかを感光ドラム９１７に接するように制御する。まず、イエロートナーを現像・転写するときは、色現像器９６１が図１２に示す位置になるまで回転し、そして感光ドラム９１７にレーザ露光が行われると同期してドラムが時計方向へ回転し、イエロー現像器９６１ｙによってドラム上にイエローのトナー画像が形成される。また、これと同期して転写ドラム９６２が半時計回りへ回転し、感光ドラム９１７からイエロートナーが転写される。ここで、転写ドラム９６２の周囲の長さは、Ａ３サイズ画像が長手方向に形成できるものである。また、Ａ３サイズの画像形成を行う場合は、Ａ３サイズの原稿を読み取って、その画像信号によってＡ３サイズ画像１面分のイエロートナー画像が転写ドラム９６２上に形成される。
【００４４】
続いて、マゼンタトナーを現像・転写するときは、色現像器９６１が半時計方向へ１２０度回転した後、前記と同様に原稿を読み取って、その画像信号によってドラム９１７にレーザ露光が行われると同期してドラムが時計方向へ回転し、マゼンタの現像器９６１ｍによって、ドラム上にマゼンタのトナー画像が形成される。これと同期して転写ドラム９６２が半時計回りへ回転し、感光ドラム９１７からマゼンタトナーが転写される。続いて、同様にシアントナー画像が転写され、さらに、ブラックトナー画像も現像器９６０によって感光ドラム９１７に形成され、同様に転写される。
【００４５】
一方、上段カセット９７０又は下段カセット９７１からピックアップローラ９７２又は９７３で給紙された記録紙は、給紙ローラ９７４又は９７５に従って搬送され、さらに、搬送ローラ９７６でレジ前まで搬送されていく。そして、前述した中間転写体である感光ドラム９１７への画像形成が終了するタイミングで、記録紙がこの中間転写体と転写ベルト９７８との間にくるようなタイミングに制御されている。ここに、記録紙が到達したところで、転写ベルト９７８が中間転写体に接して、トナーが記録紙に転写される。記録紙に転写された画像は、定着ローラ９７９において、熱と加圧により記録紙に定着される。
【００４６】
画像が定着された記録紙は、プリンタコントローラにより、あらかじめ指定されていたフェイスアップ排紙口９８０かフェイスダウン排紙口９８１のいずれかに搬送され、排紙される。以上で、プリンタコントローラから送られてきた画像情報を出力することができる。
【００４７】
本発明で使用している無線タグは、記録紙に貼り付けることのできる程度の充分微小な形状で形成されたものである。図１３に、この記録紙１３１０に貼り付けられた無線タグ（１３０１〜１３０９）とリーダライタ装置１３００との配置図を示す。ここで、リーダライタ装置１３００には、無線タグ（１３０１〜１３０９）を読み取るための複数のリードライタ部（１３１１〜１３１７）が構成されている。また、図１４は、無線タグ（１３０１〜１３０９）及びリーダライタ装置１３００の回路ブロック図である。また、図１５は、無線タグ（１３０１〜１３０９）が貼り付けられた記録紙１３１０に対してリーダライタ装置１３００の走査方向と副走査方向を示した図である。また、図１６は、記録媒体であるシートＡに２種類の人物画像が記録されたものを示した概略図であり、それぞれの画像部には、無線タグ１３０１、１３０２が貼り付けられている。また、図１７は、本実施形態におけるコピー動作の処理を示すフローチャートである。
【００４８】
図１４において、無線タグ（１３０１〜１３０９）内のアンテナ１２０１は、リーダライタ装置１３００側と信号の送受信を行う。無線タグ（１３０１〜１３０９）がリーダライタ装置１３００からデータを受信する場合は、リーダライタ装置１３００から変調された信号がアンテナ１２１０、アンテナ１２０１を介して無線タグ（１３０１〜１３０９）側へ送信される。そして、アンテナ１２０１に生じた起電力は、整流回路１２０２で整流されてレギュレータ１２０３によって無線タグ内の電源が生成されると同時に変調復調回路１２０４で復調され、この復調されたデータが記憶素子１２０５へ書き込まれる。
【００４９】
また、無線タグ（１３０１〜１３０９）がリーダライタ装置１３００へデータを送信する場合は、リーダライタ装置１３００から発生されたキャリアに対して記憶素子１２０５から読み出したデータによって変調した信号を乗せて送信する。ここで、本実施形態では、無線タグとリーダライタ装置１３００のアンテナ１２１０との距離が充分に近いときに両者の通信が可能になる。また、１度に１対の無線タグとリーダライタ部のみが通信できるものとしている。本実施例では、図１３に示すリーダライタ装置１３００の搬送方向に対して垂直な方向に、アンテナ１２１０を有する７つリーダライタ部（１３１１〜１３１７）が配置されており、リーダライタ装置１３００の搬送に伴って通信を行うものである。
【００５０】
次に、図１６に示すシートＡをコピーする場合を例にして、図１７に示す本実施形態における処理を説明する。
図１６に示すように、記録媒体であるシートＡには、「人物１」と「人物２」の画像が印刷されており、それぞれの画像領域内に無線タグ１３０１及び無線タグ１３０２が貼り付けられている。ここで、無線タグの貼り付けられている面は、画像が印刷されている面でもよいし、その裏面であってもよい。また、無線タグ１３０１には、「人物１」における画像の座標情報とコピー許可であることを示す情報が書き込まれており、一方、無線タグ１３０２には、「人物２」における画像の座標情報とコピー禁止であることを示す情報が書き込まれているものとする。
【００５１】
まず、ステップＳ１７０１において、操作者によってＭＦＰ１０４ａのスキャナ部２０１の原稿台ガラス３０１にシートＡが載せられて、当該シートＡのコピースタート指示が出されたとする。ここで、図３に示すスキャナ部２０１には、図３には不図示であるが図１３に示すような無線タグのリーダライタ装置１３００が原稿台ガラス３０１下に設置されている。
【００５２】
続いて、ステップＳ１７０２において、リーダライタ装置１３００をシートＡの原稿面に対して走査して、シートＡにある無線タグ１３０１の情報を読み取る。続いて、ステップＳ１７０３において、リーダライタ装置１３００をシートＡの原稿面に対してさらに走査して、シートＡにある無線タグ１３０２の情報を読み取る。
【００５３】
続いて、ステップＳ１７０４において、ステップＳ１７０２で読み取った無線タグ１３０１の情報から「人物１」における画像が読み取り許可されたものであるか否かを判断する。この結果、「人物１」の画像が読み取り許可されたものであると判断された場合には、ステップＳ１７０５に進んで、当該座標領域内にある「人物１」の画像を印刷データとして読み取る。一方、ステップＳ１７０４の判断の結果、「人物１」の画像が読み取り許可されていないものと判断された場合には、「人物１」の画像に対して印刷データとしての読み込みを行わず、あるいは印刷時にマスクする処理を行い、ステップＳ１７０６に進む。
【００５４】
続いて、ステップＳ１７０６において、ステップＳ１７０３で読み取った無線タグ１３０２の情報から「人物２」における画像が読み取り許可されたものであるか否かを判断する。この結果、「人物２」の画像が読み取り許可されたものであると判断された場合には、ステップＳ１７０７に進んで、当該座標領域内にある「人物２」の画像を印刷データとして読み取る。一方、ステップＳ１７０６の判断の結果、「人物２」の画像が読み取り許可されていないものと判断された場合には、「人物２」の画像に対して印刷データとしての読み込みを行わず、あるいは印刷時にマスクする処理を行い、ステップＳ１７０８に進む。
【００５５】
続いて、ステップＳ１７０８において、読み取りが許可された画像データを印刷して、処理終了する。ここで、例えば、シートＡの「人物１」に相当する無線タグ１３０１に当該座標領域情報と当該領域内の画像のコピー許可情報が書き込まれていて、「人物２」に相当する無線タグ１３０２に当該座標情報と当該領域内の画像のコピー禁止情報が書き込まれていた場合には、図１８に示すような画像として印刷出力される。
【００５６】
本実施形態では、無線タグを読み取るためのリーダライタ部をリーダライタ装置１３００に複数個固定して配置しておき、図１３に示すようにリーダライタ装置１３００を記録媒体の原稿面に対して搬送方向に走査して無線タグのデータを読み取るようにしたものであるが、このとき、リーダライタ部の配置間隔によって無線タグを検出する密度が決定されてしまう。これを解決するために、図１５に示すようにリーダライタ装置１３００を搬送方向及びこの搬送方向に対して垂直方向にさらに走査しながら無線タグのデータを読み取るようにすることで、リーダライタ部の設置数によらずに無線タグの検出密度を向上させることができる。図１５に示す例では、リーダライタ装置１３００にリーダライタ部１３１１を１個備え、図示する走査方向へ走査する。
【００５７】
また、本実施形態では、コピー対象シートに貼り付けられている無線タグに、それぞれ対応する画像に対するコピー許可あるいはコピー禁止の情報が書き込まれている。また、貼り付けられた無線タグに対してコピー許可あるいはコピー禁止の画像の座標データとコピー許可あるいはコピー禁止という情報を書き換えることも可能である。また、無線タグに座標データをもたせることなく、読み取った画像データから画像領域を判定するようにしてもよい。
【００５８】
本実施形態によれば、画像が印刷されたコピー対象シートに無線タグを貼り付け、当該無線タグに書き込むデータをコントロールすることにより、当該画像に対する無断コピーを禁止することができる。これにより、著作物、あるいは機密性のある文書や画像の読取データの処理に対する制限をオペレータの判断に拠らず行うことができ、完全な文書管理を実現することが可能になる。
【００５９】
また、課金あるいは所定のパスコードによって該当無線タグのデータを書き換えるようにすることにより、任意の画像に対するコピーの可否を設定することができる。また、コピーだけでなく、画像を電気的に読み取って画像データとして取り出すことについても同様の処理を行うことが可能である。
【００６０】
（第２の実施形態）
本発明の第２の実施形態は、コピー対象シートに貼り付けられている無線タグが所定のＩＤコードを記録できるように構成されており、読み取られた無線タグのＩＤコードに対応した画像のコピー許可あるいはコピー禁止の情報をネットワーク上のサーバ１０２に記録して、その情報を参照することで任意の画像に対するコピーの可否を決定するようにしたものである。図１９に、第２の実施形態におけるコピー動作の処理のフローチャートを示す。以下、具体的にこの処理を説明する。
【００６１】
まず、ステップＳ１９０１において、操作者によってＭＦＰ１０４ａのスキャナ部２０１の原稿台ガラス３０１に図１６に示すシートＡが載せられて、当該シートＡのコピースタート指示が出されたとする。ここで、図３に示すスキャナ部２０１には、図３には不図示であるが図１３に示すような無線タグのリーダライタ装置１３００が原稿台ガラス３０１下に設置されている。
【００６２】
続いて、ステップＳ１９０２において、リーダライタ装置１３００をシートＡの原稿面に対して走査して、シートＡにある無線タグ１３０１に記憶されているＩＤコードを読み取る。続いて、ステップＳ１９０３において、リーダライタ装置１３００をシートＡの原稿面に対してさらに走査して、シートＡにある無線タグ１３０２に記憶されているＩＤコードを読み取る。続いて、ステップＳ１９０４において、無線タグ１３０１，１３０２におけるＩＤコードの読み取り結果をサーバ１０２に問い合わせる。
【００６３】
続いて、ステップＳ１９０５において、ステップＳ１９０２で読み取った無線タグ１３０１におけるＩＤコードから「人物１」における画像が読み取り許可されたものであるか否かを判断する。この結果、「人物１」の画像が読み取り許可されたものであると判断された場合には、ステップＳ１９０６に進んで、「人物１」の画像を印刷データとして読み取る。一方、ステップＳ１９０５の判断の結果、「人物１」の画像が読み取り許可されていないものと判断された場合には、「人物１」の画像に対して印刷データとしての読み込みを行わず、あるいは印刷時にマスクする処理を行い、ステップＳ１９０７に進む。
【００６４】
続いて、ステップＳ１９０７において、ステップＳ１９０３で読み取った無線タグ１３０２におけるＩＤコードから「人物２」における画像が読み取り許可されたものであるか否かを判断する。この結果、「人物２」の画像が読み取り許可されたものであると判断された場合には、ステップＳ１９０８に進んで、「人物２」の画像を印刷データとして読み取る。一方、ステップＳ１９０７の判断の結果、「人物２」の画像が読み取り許可されていないものと判断された場合には、「人物２」の画像に対して印刷データとしての読み込みを行わず、あるいは印刷時にマスクする処理を行い、ステップＳ１９０９に進む。
【００６５】
続いて、ステップＳ１９０９において、読み取りが許可された画像データを印刷して、処理終了する。ここで、例えば、シートＡの「人物１」に相当する無線タグ１３０１に当該画像のコピーを許可するＩＤコードが書き込まれていて、「人物２」に相当する無線タグ１３０２に当該画像のコピーを禁止するＩＤコードが書き込まれていた場合には、図１８に示すような画像として印刷出力される。
【００６６】
本実施形態において、サーバ１０２に記録されている情報を、課金によって解除、あるいは所定のパスコードによって解除する解除手段を設けるようにすることも可能である。また、コピーだけでなく画像を電気的読み取って画像データとして取り出す場合においても同様の処理を行うことが可能である。
【００６７】
本実施形態によれば、サーバ１０２上で任意の画像に対するコピーの可否を設定することができる。また、サーバ１０２上に無線タグに対応する画像領域の座標を記録しておくことにより、任意の画像領域のコピー又は読み取りの許可あるいは禁止の設定を行うことができる。また、サーバ１０２上でコピー又は読み取りの可否を設定することができるため、コピー対象シート上の無線タグのデータを操作者に対応して書き換える必要をなくすことができる。すなわち、操作者のユーザレベルに応じて、サーバ１０２上でコピー又は読み取りの可否を決定することができる。
【００６８】
（第３の実施形態）
本発明の第３の実施形態は、コピー対象シートの１箇所に無線タグを貼り付けて、当該無線タグにコピー対象シート上に存在する画像の位置情報とそれぞれの画像に対応するコピーの可否情報を書き込むことにより各画像のコピー又は読み取りの可否を設定するか、あるいは当該無線タグに所定のＩＤコードを記録してサーバ１０２上で各画像のコピー又は読み取りの可否を設定できるようにしたものである。図２０に、第３の実施形態における記憶媒体の概略図を示す。
【００６９】
本実施形態によれば、コピー対象シートに貼り付ける無線タグの個数を画像の数だけ用意する必要がなくなる。また、サーバ１０２上で任意の画像のコピー可否を設定することができる。また、サーバ１０２上に無線タグに対応する画像領域の座標を記録しておくことにより、任意の画像領域のコピー又は読み取りにおける許可あるいは禁止の設定を行うことができる。また、本実施形態において、サーバ１０２に記録されている情報を、課金によって解除、あるいは所定のパスコードによって解除する解除手段を設けるようにすることも可能である。
【００７０】
以下、本発明の諸態様を附記としてまとめて記載する。
【００７１】
［附記１］  記録媒体上に光学的に記録された所定の画像に対応して、前記記録媒体上に微小な無線タグが貼り付けられた無線タグシステムにおいて、
前記無線タグには所定のコードが記録されており、
前記コードは、前記画像を光学的に読み取った画像データにおける転送処理又は印刷処理に対して制限もしくは許可を指示するものであることを特徴とする無線タグシステム。
【００７２】
［附記２］  前記転送処理又は前記印刷処理に対する前記制限を課金によって解除する解除手段を有することを特徴とする附記１に記載の無線タグシステム。
【００７３】
［附記３］  前記記録媒体における前記画像の記録位置に前記無線タグが貼り付けられていることを特徴とする附記１に記載の無線タグシステム。
【００７４】
［附記４］  前記記録媒体における前記画像の記録位置とは関係のない位置に前記無線タグが貼り付けられ、当該無線タグには、前記記録位置に関する情報が記録されていることを特徴とする附記１に記載の無線タグシステム。
【００７５】
［附記５］  前記コードを参照する参照手段を有し、参照された前記コードにおけるテーブルに応じて、前記画像データに対する前記制限もしくは前記許可を行うことを特徴とする附記１に記載の無線タグシステム。
【図面の簡単な説明】
【００７６】
【図１】本発明の実施形態における無線タグシステムの概観図である。
【図２】ＭＦＰ（複合機）の構成を示すブロック図である。
【図３】ＭＦＰにおけるスキャナ部の概略断面図である。
【図４】ＭＦＰにおけるＩＰ部（画像処理部）の構成を示すブロック図である。
【図５】ＭＦＰにおけるＮＩＣ部及びＰＤＬ部の構成を示すブロック図である。
【図６】ＭＦＰにおけるコア部の構成を示すブロック図である。
【図７】ＭＦＰにおけるＰＷＭ部の構成を示すブロック図である。
【図８】４ドラムカラープリンタ装置の概略図である。
【図９】プリンタ装置のブロック図である。
【図１０】ＭＦＰにおけるディスプレイ部の構成を示すブロック図である。
【図１１】ＭＦＰにおけるフィニッシャ部の構成を示すブロック図である。
【図１２】１ドラムカラーレーザビームプリンタ装置（ＬＢＰ）の概略図である。
【図１３】コピー対象シートとリーダライタ装置との配置図である。
【図１４】無線タグ及びリーダライタ装置の回路ブロック図である。
【図１５】コピー対象シートとリーダライタ装置との配置図である。
【図１６】コピー対象シートに２種類の人物画像が記録されたものを示した概略図である。
【図１７】第１の実施形態におけるコピー動作の処理を示すフローチャートである。
【図１８】コピー対象シートの画像をコピーしたときの概要図である。
【図１９】第２の実施形態におけるコピー動作の処理を示すフローチャートである。
【図２０】第３の実施形態における記憶媒体の概略図である。
【符号の説明】
【００７７】
１０２  サーバ
１０３  クライアント
１０４  ＭＦＰ
１０５  ＬＢＰ
２０１  スキャナ部
２０２  ＩＰ部
２０３  ＦＡＸ部
２０４  ＮＩＣ部
２０５  ＰＤＬ部
２０６  コア部
２０７  ＰＭＷ部
２０８  プリンタ部
２０９  フィニッシャ部
２１０  ディスプレイ部
１３００  リーダライタ装置
１３０１〜１３０９  無線タグ
１３１０  記録紙（記録媒体）
１３１１〜１３１７  リードライタ部
【図１】
2005094689.tif 000003
【図２】
2005094689.tif 000004
【図３】
2005094689.tif 000005
【図４】
2005094689.tif 000006
【図５】
2005094689.tif 000007
【図６】
2005094689.tif 000008
【図７】
2005094689.tif 000009
【図８】
2005094689.tif 000010
【図９】
2005094689.tif 000011
【図１０】
2005094689.tif 000012
【図１１】
2005094689.tif 000013
【図１２】
2005094689.tif 000014
【図１３】
2005094689.tif 000015
【図１４】
2005094689.tif 000016
【図１５】
2005094689.tif 000017
【図１６】
2005094689.tif 000018
【図１７】
2005094689.tif 000019
【図１８】
2005094689.tif 000020
【図１９】
2005094689.tif 000021
【図２０】
2005094689.tif 000022